(57)【要約】【課題】無線通信システムのノード間接続を処理する方法および装置【解決手段】無線通信システムのノード間接続を処理する方法であって、要求を第１のネットワークノードから第２のネットワークノードに送信し、ユーザー端末（ＵＥ）のセカンダリセル（ＳＣｅｌｌ）の集約を停止するステップを含み、前記第１のネットワークノードは、前記ＳＣｅｌｌを制御し、前記第２のネットワークノードは、前記ＵＥのプライマリセル（ＰＣｅｌｌ）を制御する方法。【選択図】図６
2014150531.tif 000002
【特許請求の範囲】
【請求項１】
無線通信システムのノード間接続を処理する方法であって、
要求を第１のネットワークノードから第２のネットワークノードに送信し、ユーザー端末（ＵＥ）のセカンダリセル（ＳＣｅｌｌ）の集約を停止するステップを含み、
前記第１のネットワークノードは、前記ＳＣｅｌｌを制御し、前記第２のネットワークノードは、前記ＵＥのプライマリセル（ＰＣｅｌｌ）を制御する方法。
【請求項２】
前記要求は、ＳＣｅｌｌ解放要求メッセージである請求項１に記載の方法。
【請求項３】
第１のネットワークノードと第２のネットワークノードは、発展型Ｎｏｄｅ  Ｂ（ｅＮＢｓ）である請求項１に記載の方法。
【請求項４】
前記ＳＣｅｌｌは、小セルであり、前記ＰＣｅｌｌは、マクロセルである請求項１に記載の方法。
【請求項５】
前記要求は、ＳＣｅｌｌの負荷および／またはＵＥのクオリティオブサービス（ＱｏＳ）が保障されるかどうかを含む要因に基づき、動作される請求項１に記載の方法。
【請求項６】
無線通信システムのノード間接続を処理する方法であって、
要求をユーザー端末（ＵＥ）の第１のサービングセルを制御する第１のネットワークノードから前記ＵＥの第２のサービングセルを制御する第２のネットワークノードに送信し、前記ＵＥの第１のタイプの送信および／または受信に対応するデータパスを第１のパスから異なるパスに変えるステップを含み、
前記第１のパスは、前記第１のネットワークノードを介して、前記ＵＥの第１のタイプの送信および／または受信に対応する前記データパスとして用いられ、且つ
第２のパスは、前記第２のネットワークノードを介して、前記ＵＥの第２のタイプの送信および／または受信に対応するデータパスとして用いられる方法。
【請求項７】
前記異なるパスは、前記第２のパスである請求項６に記載の方法。
【請求項８】
前記第１のパスは、前記ＵＥの第３のタイプの送信および／または受信に対応するデータパスとして用いられ、前記要求は、前記ＵＥの第３のタイプの送信および／または受信に対応するデータパスを変える指示をしない請求項６に記載の方法。
【請求項９】
前記第１のタイプの送信および／または受信、前記第２のタイプの送信および／または受信、ならびに前記第３のタイプの送信および／または受信は、サービスのタイプ、無線ベアラ、論理チャネル、および／またはクオリティオブサービス（ＱｏＳ）のレベルに基づき、区別される請求項６に記載の方法。
【請求項１０】
前記ＵＥは、前記データパスが変わった後、異なるネットワークノードを介して複数のパスを有する請求項６に記載の方法。
【請求項１１】
前記要求は、前記第１のネットワークノードによって制御されたセルの負荷、および／または前記ＵＥの第１のタイプの送信および／または受信に対応するクオリティオブサービス（ＱｏＳ）が保障されるかどうかに基づき、動作される請求項６に記載の方法。
【請求項１２】
前記第１のネットワークノードは、前記ＵＥの前記第１のサービングセルまたはセカンダリセル（ＳＣｅｌｌ）を制御する発展型Ｎｏｄｅ  Ｂ（ｅＮＢｓ）であり、前記第２のネットワークノードは、前記ＵＥの前記第２のサービングセルまたはプライマリセル（ＰＣｅｌｌ）を制御するｅＮＢｓである請求項６に記載の方法。
【請求項１３】
無線通信システムのノード間接続を処理する方法であって、
要求を第１のネットワークノードからコアネットワークノードに送信し、ユーザー端末（ＵＥ）の第１のタイプの送信および／または受信に対応するデータパスを第１のパスから異なるパスに変えるステップを含み、
前記第１のパスは、前記第１のネットワークノードを介して、前記ＵＥの第１のタイプと第３のタイプの送信および／または受信に対応する前記データパスとして用いられ、且つ
第２のパスは、前記第２のネットワークノードを介して、前記ＵＥの第２のタイプの送信および／または受信に対応するデータパスとして用いられ、且つ
前記要求は、前記ＵＥの第３のタイプの送信および／または受信に対応する前記データパスを変える指示をしない方法。
【請求項１４】
前記異なるパスは、前記第２のパスである請求項１３に記載の方法。
【請求項１５】
前記要求は、ハンドオーバーのため、伝送されない請求項１３に記載の方法。
【請求項１６】
前記第１のタイプの送信および／または受信、前記第２のタイプの送信および／または受信、ならびに前記第３のタイプの送信および／または受信は、サービスのタイプ、無線ベアラ、論理チャネル、および／またはクオリティオブサービス（ＱｏＳ）のレベルに基づき、区別される請求項１３に記載の方法。
【請求項１７】
前記ＵＥは、前記データパスが変わった後、異なるネットワークノードを介して複数のパスを有する請求項１３に記載の方法。
【請求項１８】
前記要求は、前記第１のネットワークノードによって制御されたセルの負荷、および／または前記ＵＥの第１のタイプの送信および／または受信に対応するクオリティオブサービス（ＱｏＳ）が保障されるかどうかに基づき、動作される請求項１３に記載の方法。
【請求項１９】
前記第１のネットワークノードは、前記ＵＥのサービングセルまたはセカンダリセル（ＳＣｅｌｌ）を制御する発展型Ｎｏｄｅ  Ｂ（ｅＮＢｓ）であり、前記第２のネットワークノードは、前記ＵＥのサービングセルまたはプライマリセル（ＰＣｅｌｌ）を制御するｅＮＢｓである請求項１３に記載の方法。
【請求項２０】
前記コアネットワークノードは、モビリティ管理エンティティ（ＭＭＥ）またはサービングゲートウェイ（Ｓ−ＧＷ）である請求項１３に記載の方法。
【請求項２１】
無線通信システムのノード間接続を処理する通信装置であって、前記通信装置は、
制御回路、
前記制御回路にインストールされたプロセッサ、および
前記制御回路にインストールされ、前記プロセッサに動作的に接続されたメモリを含み、
前記プロセッサは、メモリに保存されたプログラムコードを実行して、ノード間接続を処理するように構成され、
要求をネットワークノードに送信し、ユーザー端末（ＵＥ）のＳＣｅｌｌ（セカンダリセル）の集約を停止し、
前記通信装置は、前記ＳＣｅｌｌを制御し、前記ネットワークノードは、前記ＵＥのプライマリセル（ＰＣｅｌｌ）を制御する通信装置。
【請求項２２】
前記要求は、ＳＣｅｌｌ解放要求メッセージである請求項２１に記載の通信装置。
【請求項２３】
前記通信装置と前記ネットワークノードは、発展型Ｎｏｄｅ  Ｂ（ｅＮＢｓ）である請求項２１に記載の通信装置。
【請求項２４】
前記ＳＣｅｌｌは、小セルであり、前記ＰＣｅｌｌは、マクロセルである請求項２１に記載の通信装置。
【請求項２５】
前記要求は、ＳＣｅｌｌの負荷および／またはＵＥのクオリティオブサービス（ＱｏＳ）が保障されるかどうかを含む要因に基づき、動作される請求項２１に記載の通信装置。
【請求項２６】
無線通信システムのノード間接続を処理する通信装置であって、前記通信装置は、
制御回路、
前記制御回路にインストールされたプロセッサ、および
前記制御回路にインストールされ、前記プロセッサに動作的に接続されたメモリを含み、
前記プロセッサは、メモリに保存されたプログラムコードを実行して、ノード間接続を処理するように構成され、
要求をユーザー端末（ＵＥ）の第１のサービングセルを制御する通信装置から前記ＵＥの第２のサービングセルを制御するネットワークノードに送信し、前記ＵＥの第１のタイプの送信および／または受信に対応するデータパスを第１のパスから異なるパスに変えるステップを含み、
前記第１のパスは、前記通信装置を介して、前記ＵＥの第１のタイプの送信および／または受信に対応する前記データパスとして用いられ、且つ
第２のパスは、前記ネットワークノードを介して、前記ＵＥの第２のタイプの送信および／または受信に対応するデータパスとして用いられる通信装置。
【請求項２７】
前記異なるパスは、前記第２のパスである請求項２６に記載の通信装置。
【請求項２８】
前記第１のパスは、前記ＵＥの第３のタイプの送信および／または受信に対応するデータパスとして用いられ、前記要求は、前記ＵＥの第３のタイプの送信および／または受信に対応するデータパスを変える指示をしない請求項２６に記載の通信装置。
【請求項２９】
前記第１のタイプの送信および／または受信、前記第２のタイプの送信および／または受信、ならびに前記第３のタイプの送信および／または受信は、サービスのタイプ、無線ベアラ、論理チャネル、および／またはクオリティオブサービス（ＱｏＳ）のレベルに基づき、区別される請求項２６に記載の通信装置。
【請求項３０】
前記ＵＥは、前記データパスが変わった後、異なるネットワークノードを介して複数のパスを有する請求項２６に記載の通信装置。
【請求項３１】
前記要求は、前記通信装置によって制御されたセルの負荷、および／または前記ＵＥの第１のタイプの送信および／または受信に対応するクオリティオブサービス（ＱｏＳ）が保障されるかどうかに基づき、動作される請求項２６に記載の通信装置。
【請求項３２】
前記通信装置は、前記ＵＥの前記第１のサービングセルまたはセカンダリセル（ＳＣｅｌｌ）を制御する発展型Ｎｏｄｅ  Ｂ（ｅＮＢｓ）であり、前記ネットワークノードは、前記ＵＥの前記第２のサービングセルまたはプライマリセル（ＰＣｅｌｌ）を制御するｅＮＢｓである請求項２６に記載の方法。
【請求項３３】
無線通信システムのノード間接続を処理する通信装置であって、前記通信装置は、
制御回路、
前記制御回路にインストールされたプロセッサ、および
前記制御回路にインストールされ、前記プロセッサに動作的に接続されたメモリを含み、
前記プロセッサは、メモリに保存されたプログラムコードを実行して、ノード間接続を処理するように構成され、
要求をコアネットワークノードに送信し、ユーザー端末（ＵＥ）の第１のタイプの送信および／または受信に対応するデータパスを第１のパスから異なるパスに変えるステップを含み、
前記第１のパスは、前記通信装置を介して、前記ＵＥの第１のタイプと第３のタイプの送信および／または受信に対応する前記データパスとして用いられ、且つ
第２のパスは、前記ネットワークノードを介して、前記ＵＥの第２のタイプの送信および／または受信に対応するデータパスとして用いられ、且つ
前記要求は、前記ＵＥの第３のタイプの送信および／または受信に対応する前記データパスを変える指示をしない通信装置。
【請求項３４】
前記異なるパスは、前記第２のパスである請求項１３に記載の通信装置。
【請求項３５】
前記要求は、ハンドオーバーのため、伝送されない請求項３３に記載の通信装置。
【請求項３６】
前記第１のタイプの送信および／または受信、前記第２のタイプの送信および／または受信、ならびに前記第３のタイプの送信および／または受信は、サービスのタイプ、無線ベアラ、論理チャネル、および／またはクオリティオブサービス（ＱｏＳ）のレベルに基づき、区別される請求項３３に記載の通信装置。
【請求項３７】
前記ＵＥは、前記データパスが変わった後、異なるネットワークノードを介して複数のパスを有する請求項３３に記載の通信装置。
【請求項３８】
前記要求は、前記通信装置によって制御されたセルの負荷、および／または前記ＵＥの第１のタイプの送信および／または受信に対応するクオリティオブサービス（ＱｏＳ）が保障されるかどうかに基づき、動作される請求項３３に記載の通信装置。
【請求項３９】
前記通信装置は、前記ＵＥのサービングセルまたはセカンダリセル（ＳＣｅｌｌ）を制御する発展型Ｎｏｄｅ  Ｂ（ｅＮＢｓ）であり、前記第２のネットワークノードは、前記ＵＥのサービングセルまたはプライマリセル（ＰＣｅｌｌ）を制御するｅＮＢｓである請求項３３に記載の通信装置。
【請求項４０】
前記コアネットワークノードは、モビリティ管理エンティティ（ＭＭＥ）またはサービングゲートウェイ（Ｓ−ＧＷ）である請求項３３に記載の通信装置。
【発明の詳細な説明】
【技術分野】
【０００１】
本発明は、無線通信ネットワークに関し、特に、無線通信システムのノード間接続を処理する方法および装置に関するものである。
【背景技術】
【０００２】
移動通信装置上で、大量のデータを通信する需要の急増に伴い、従来の移動音声通信ネットワークは、インターネットプロトコル（ＩＰ）データパケットと通信するネットワークに発展している。このようなＩＰデータパケット通信は、移動通信装置のユーザーにボイスオーバーＩＰ、マルチメディア、マルチキャスト、およびオンデマンド通信サービスを提供することができる。
【０００３】
発展型ユニバーサル地上波無線アクセスネットワーク（Ｅ−ＵＴＲＡＮ）は常用のネットワーク構造である。Ｅ−ＵＴＲＡＮシステムは、高いデータスループットを提供し、上述のボイスオーバーＩＰおよびマルチメディアサービスを実現する。Ｅ−ＵＴＲＡＮシステムの標準化作業は、３ＧＰＰ規格組織により実行される。よって、３ＧＰＰ規格を進化させて完成させるために、３ＧＰＰ規格の最新組織への変化が、提示され、考慮されている。
【発明の概要】
【発明が解決しようとする課題】
【０００４】
無線通信システムのノード間接続を処理する方法および装置を提供する。
【課題を解決するための手段】
【０００５】
無線通信システムのノード間接続を処理する方法と装置が開示される。上述の方法は、要求を第１のネットワークノードから第２のネットワークノードに送信し、ユーザー端末（ＵＥ）のセカンダリセル（ＳＣｅｌｌ）の集約を停止するステップを含み、第１のネットワークノードは、ＵＥのＳＣｅｌｌを制御し、第２のネットワークノードは、ＵＥのプライマリセル（ＰＣｅｌｌ）を制御する。
【０００６】
また、無線通信システムのノード間接続を処理するもう１つの方法と装置が開示される。上述の方法は、要求をユーザー端末（ＵＥ）の第１のサービングセルを制御する第１のネットワークノードからＵＥの第２のサービングセルを制御する第２のネットワークノードに送信し、ＵＥの第１のタイプの送信および／または受信に対応するデータパスを第１のパスから異なるパスに変えるステップを含み、第１のパスは、第１のネットワークノードを介して、ＵＥの第１のタイプの送信および／または受信に対応するデータパスとして用いられ、第２のパスは、第２のネットワークノードを介して、ＵＥの第２のタイプの送信および／または受信に対応するデータパスとして用いられる。
【０００７】
また、無線通信システムのノード間接続を処理するもう１つの方法と装置が開示される。上述の方法は、要求を第１のネットワークノードからコアネットワークノードに送信し、ユーザー端末（ＵＥ）の第１のタイプの送信および／または受信に対応するデータパスを第１のパスから異なるパスに変えるステップを含み、第１のパスは、第１のネットワークノードを介して、ＵＥの第１のタイプと第３のタイプの送信および／または受信に対応するデータパスとして用いられ、第２のパスは、第２のネットワークノードを介して、ＵＥの第２のタイプの送信および／または受信に対応するデータパスとして用いられ、且つ要求は、ＵＥの第３のタイプの送信および／または受信に対応するデータパスを変える指示をしない。
【図面の簡単な説明】
【０００８】
【図１】本発明の一実施形態によるマルチアクセス無線通信システムを示している。
【図２】例示的な実施形態に基づく、送信機システム（アクセスネットワークとしても知られている）および受信機システム（ユーザー端末またはＵＥとしても知られている）のブロック図である。
【図３】１つの例示的な実施形態に基づく、通信システムの機能ブロック図を示している。
【図４】１つの例示的な実施形態に基づく図３のプログラムコードの機能的なブロック図である。
【図５】１つの例示的な実施形態に基づく、３ＧＰＰ  ＲＷＳ−１２００４６に述べられたｅＮＢ間キャリアアグリゲーションの可能な構造を示している。
【図６】１つの例示的な実施形態に基づく、メッセージシーケンスチャートである。
【発明を実施するための形態】
【０００９】
以下に記述される例示的な無線通信システムおよび装置は、無線通信システムを用いて、放送サービス（broadcast  service）をサポートしている。無線通信システムは幅広く展開されて、音声、データ等の各種のタイプの通信を提供する。これらのシステムは、符号分割多元接続（ｃｏｄｅ  ｄｉｖｉｓｉｏｎ  ｍｕｌｔｉｐｌｅ  ａｃｃｅｓｓ；  ＣＤＭＡ）、時分割多元接続（ｄｉｖｉｓｉｏｎ  ｍｕｌｔｉｐｌｅ  ａｃｃｅｓｓ；  ＴＤＭＡ）、直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ；  ＯＦＤＭＡ）、３ＧＰＰ  ＬＴＥ（Ｌｏｎｇ  Ｔｅｒｍ  Ｅｖｏｌｕｔｉｏｎ）無線アクセス、３ＧＰＰ  ＬＴＥ−Ａ  （Ｌｏｎｇ  Ｔｅｒｍ  Ｅｖｏｌｕｔｉｏｎ  Ａｄｖａｎｃｅｄ）、３ＧＰＰ２  ＵＭＢ  （Ｕｌｔｒａ  Ｍｏｂｉｌｅ  Ｂｒｏａｄｂａｎｄ）、ＷｉＭａｘ、または別の変調技術に基づく。
【００１０】
特に、以下に記述される例示的な無線通信システムの装置は、一つ以上の規格、例えば、文献番号ＴＲ３６.９３２  ｖ１２.０.０“Ｓｃｅｎａｒｉｏｓ  ａｎｄ  Ｒｅｑｕｉｒｅｍｅｎｔｓ  ｆｏｒ  Ｓｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ  （Ｒｅｌｅａｓｅ  １２）”を含む３ＧＰＰと呼ばれる“第３世代移動体通信システムの標準化プロジェクト（３ｒｄ  Ｇｅｎｅｒａｔｉｏｎ  Ｐａｒｔｎｅｒｓｈｉｐ  Ｐｒｏｊｅｃｔ）”、ＲＰ−１２２０３３、“Ｎｅｗ  Ｓｔｕｄｙ  Ｉｔｅｍ  Ｄｅｓｃｒｉｐｔｉｏｎ：  Ｓｍａｌｌ  Ｃｅｌｌ  ｅｎｈａｎｃｅｍｅｎｔｓ  ｆｏｒ  Ｅ−ＵＴＲＡ  ａｎｄ  Ｅ−ＵＴＲＡＮ  −  Ｈｉｇｈｅｒ−ｌａｙｅｒ  ａｓｐｅｃｔｓ”、  株式会社ＮＴＴドコモ（ＮＴＴ  ＤＯＣＯＭＯ，ＩＮＣ．）；  ＴＳ  ３６.３００  Ｖ１１.４.０、  “Ｅ−ＵＴＲＡ  ａｎｄ  Ｅ−ＵＴＲＡＮ；  Ｏｖｅｒａｌｌ  ｄｅｓｃｒｉｐｔｉｏｎ；  Ｓｔａｇｅ  ２”；  ＴＳ  ３６.３３１  Ｖ１１.２.０、“Ｅ−ＵＴＲＡ  ＲＲＣ  ｐｒｏｔｏｃｏｌ  ｓｐｅｃｉｆｉｃａｔｉｏｎ  （Ｒｅｌｅａｓｅ  １１）”；  ＲＷＳ−１２００４６、  “Ｔｅｃｈｎｏｌｏｇｉｅｓ  ｆｏｒ  Ｒｅｌ−１２  ａｎｄ  ｏｎｗａｒｄｓ”；  およびＲ２−１３０８４５、  “ＴＲ  ３６.８４２  ｖ０.１.０  ｏｎ  Ｓｔｕｄｙ  ｏｎ  Ｓｍａｌｌ  Ｃｅｌｌ  Ｅｎｈａｎｃｅｍｅｎｔｓ  ｆｏｒ  Ｅ−ＵＴＲＡ  ａｎｄ  Ｅ−ＵＴＲＡＮ  −  Ｈｉｇｈｅｒ−ｌａｙｅｒ  ａｓｐｅｃｔｓ”、  ＮＴＴ  ＤＯＣＯＭＯにより制定される規格をサポートするように設計されている。上述の規格と文献は明細書に組み込まれる。
【００１１】
図１は、本発明の一実施形態によるマルチアクセス無線通信システムを示している。アクセスネットワーク１００（ＡＮ）は、複数のアンテナ群を含み、１つは１０４と１０６の群、もう１つは１０８と１１０の群、またもう１つは１１２と１１４の群を含む。図１では、各アンテナ群は、２つのアンテナだけが示されているが、２つ以上のアンテナが各アンテナ群に用いられてもよい。アクセス端子１１６（ａｃｃｅｓｓ  ｔｅｒｍｉｎａｌ；  ＡＴ）は、アンテナ１１２と１１４と通信し、アンテナ１１２と１１４は、順方向リンク（ｆｏｒｗａｒｄ  ｌｉｎｋ）１２０によって、情報をアクセス端子１１６に送信し、逆方向リンク（ｒｅｖｅｒｓｅ  ｌｉｎｋ）１１８によって、アクセス端子１１６から情報を受信する。アクセス端子（ＡＴ）１２２はアンテナ１０６と１０８と通信し、アンテナ１０６と１０８は、順方向リンク１２６によって、情報をアクセス端子（ＡＴ）１２２に送信し、逆方向リンク１２４によって、アクセス端子（ＡＴ）１２２から情報を受信する。周波数分割複信（Ｆｒｅｑｕｅｎｃｙ  ｄｉｖｉｓｉｏｎ  ｄｕｐｌｅｘｉｎｇ；  ＦＤＤ）システムでは、通信リンク１１８、１２０、１２４および１２６は異なる周波数を用いて通信する。例えば、順方向リンク１２０は、逆方向リンク１１８で用いられる周波数と異なる周波数を用いてもよい。
【００１２】
各アンテナ群および/または通信のために設計される領域は、通常、アクセスネットワークのセクター（ｓｅｃｔｏｒ）と称される。実施形態では、各アンテナ群は、アクセスネットワーク１００でカバーされた領域のセクターのアクセス端子と通信するように設計されている。
【００１３】
順方向リンク１２０と１２６による通信では、アクセスネットワーク１００の送信アンテナは、異なるアクセス端子１１６と１２２の順方向リンクの信号対雑音比（ｓｉｇｎａｌ−ｔｏ−ｎｏｉｓｅ  ｒａｔｉｏ）を改善するためにビーム形成（ｂｅａｍｆｏｒｍｉｎｇ）を用いることができる。また、ビーム形成を用いて、その受信範囲にランダムに散乱したアクセス端子に送信するアクセスネットワークは、単一のアンテナによって、全てのそのアクセス端子に送信するアクセスネットワークよりも、隣接セルのアクセス端子への干渉が少ない。
【００１４】
アクセスネットワーク（ＡＮ）は、端子と通信するのに用いられる固定局（ｆｉｘｅｄ  ｓｔａｔｉｏｎ）または基地局（ｂａｓｅ  ｓｔａｔｉｏｎ）であり、アクセスポイント（ａｃｃｅｓｓ  ｐｏｉｎｔ）、Ｎｏｄｅ  Ｂ、基地局、拡張基地局、ｅＮＢ、または他の用語で呼ばれてもよい。アクセス端子（ＡＴ）は、ユーザー端末（ＵＥ）、無線通信装置、端子、アクセス端子、または他の用語で呼ばれてもよい。
【００１５】
図２は、ＭＩＭＯシステム２００の送信機システム２１０（アクセスネットワークとしても知られている）および受信機システム２５０（アクセス端子（ＡＴ）またはユーザー端末（ＵＥ）としても知られている）の実施形態の簡略ブロック図である。送信機システム２１０では、データストリームのトラフィックデータがデータソース２１２から送信（ＴＸ）データプロセッサ２１４に提供される。
【００１６】
１つの実施形態では、各データストリームは、各々の送信アンテナを介して送信される。ＴＸデータプロセッサ２１４は、そのデータストリーム用に選択された特定の符号化方式に基づき、各データストリームのトラフィックデータをフォーマット（ｆｏｒｍａｔ）、符号化（ｃｏｄｅ）およびインターリーブ（ｉｎｔｅｒｌｅａｖｅ）し、符号化データを提供する。
【００１７】
各データストリームの符号化データは、ＯＦＤＭ  技術を用いて、パイロットデータ（ｐｉｌｏｔ  ｄａｔａ）と多重化される。パイロットデータは、一般に、既知の方法で処理された既知のデータパターンであり、受信機システムで用いられて、チャネル応答を推定する。次いで、各データストリームの多重化パイロットと符号化データは、そのデータストリーム用に選択された特定の変調方式（ＢＰＳＫ、ＱＰＳＫ、Ｍ−ＰＳＫまたはＭ−ＱＡＭ）に基づき、変調され（即ち、シンボルマッピングされた）、変調シンボルを提供する。各データストリームのデータレート（ｄａｔａ  ｒａｔｅ）、符号化、および変調は、プロセッサ２３０により実行される指示によって決められる。
【００１８】
次いで、全てのデータストリームの変調シンボルは、ＴＸ  ＭＩＭＯプロセッサ２２０に提供され、更に変調シンボルを続けて処理する（例えば、ＯＦＤＭを用いて）。次いで、ＴＸ  ＭＩＭＯプロセッサ２２０は、ＮＴ変調シンボルストリームをＮＴ送信機（ＴＭＴＲ）２２２ａ〜２２２ｔに提供する。ある実施形態では、ＴＸ  ＭＩＭＯプロセッサ２２０は、ビームフォーミングの重みをデータストリームのシンボルおよびシンボルが送信されているアンテナに提供する。
【００１９】
各送信機２２２は、各々のシンボルストリームを受信して処理し、一つ以上のアナログ信号を提供し、アナログ信号をさらに調節（例えば、増幅（ａｍｐｌｉｆｉｅｓ）、フィルタリング（ｆｉｌｔｅｒ）、およびアップコンバート（ｕｐｃｏｎｖｅｒｔ））して、ＭＩＭＯチャネルを介して送信されるのに好適な変調信号を提供する。次いで、送信機２２２ａ〜２２２ｔからのＮＴ変調信号は、それぞれＮＴアンテナ２２４ａ〜２２４ｔから送信される。
【００２０】
受信機システム２５０では、送信された変調信号はＮＲアンテナ２５２ａ〜２５２ｒによって受信され、各アンテナ２５２から受信された信号は各々の受信機（ＲＣＶＲ）２５４ａ〜２５４ｒに提供される。各受信機２５４は、各々の受信信号を調節（例えば、フィルタリング、増幅、およびダウンコンバート）し、調節した信号をデジタル化して、サンプルを提供し、サンプルを更に処理して、対応する“受信”シンボルストリームを提供する。
【００２１】
次いで、ＲＸデータプロセッサ２６０は、特定の受信処理技術に基づき、ＮＲ受信機２５４からＮＲ受信シンボルストリームを受信して処理し、ＮＴ“検出”シンボルストリームを提供する。次いで、ＲＸデータプロセッサ２６０は、各検出シンボルストリームを復調（ｄｅｍｏｄｕｌａｔｅ）、デインターリーブ（ｄｅｉｎｔｅｒｌｅａｖｅ）および復号（ｄｅｃｏｄｅ）して、データストリームのトラフィックデータを復元する。ＲＸデータプロセッサ２６０による処理は、送信機システム２１０でのＴＸ  ＭＩＭＯプロセッサ２２０およびＴＸデータプロセッサ２１４によって実行される処理と相補される。
【００２２】
プロセッサ２７０は、どのプリコーディングマトリクス（ｐｒｅ−ｃｏｄｉｎｇ  ｍａｔｒｉｘ）を用いるかを周期的に決める（後述される）。プロセッサ２７０は、マトリクスインデックス（ｍａｔｒｉｘ  ｉｎｄｅｘ）部分およびランク値（ｒａｎｋ  ｖａｌｕｅ）部分を含む逆方向リンクメッセージを公式化する。
【００２３】
逆方向リンクメッセージは、通信リンクおよび／または受信データストリームに関する各種の情報を含む。次いで、逆方向リンクメッセージは、ＴＸデータプロセッサ２３８によって処理され、データソース２３６からの複数のデータストリーム用のトラフィックデータも受信し、変調器２８０によって変調され、送信機２５４ａ〜２５４ｒによって調節され、送信機システム２１０に送信される。
【００２４】
送信機システム２１０では、受信機システム２５０からの変調信号がアンテナ２２４によって受信され、受信機２２２によって調節され、復調器２４０により復調され、ＲＸデータプロセッサ２４２によって処理されて、受信機システム２５０によって送信された逆方向リンクメッセージを抽出する。次いで、プロセッサ２３０は、どのプレコーディングマトリクスを用いて、ビームフォーミングの重みを決めて、抽出されたメッセージを処理するか決める。
【００２５】
図３は、本発明の１つの実施形態に基づく、通信装置の代替の簡略化された機能ブロック図を示している。図３に示されるように、無線通信システムの通信装置３００は、図１のＵＥ（またはＡＴ）１１６と１２２、または図１のｅＮＢ（またはＡＮ）の実現に用いられ、無線通信システムは、ＬＴＥシステムであることが望ましい。通信装置３００は、入力装置３０２、出力装置３０４、制御回路３０６、中央処理装置（ＣＰＵ）３０８、メモリ３１０、プログラムコード３１２、およびトランシーバー３１４を含む。制御回路３０６は、ＣＰＵ３０８により、メモリ３１０のプログラムコード３１２を実行し、これにより、通信装置３００の動作を制御する。通信装置３００は、例えば、キーボードまたはキーパッドなどの入力装置３０２を通じて、ユーザーにより入力された信号を受信し、例えば、モニタまたはスピーカーなどの出力装置３０４によって、イメージと音声を出力することができる。トランシーバー３１４は、無線信号を送受信し、受信した信号を制御回路３０６に送信し、制御回路３０６によって生成された信号を無線で出力するのに用いられる。
【００２６】
図４は、本発明の１つの実施形態に基づく図３に示されたプログラムコード３１２の簡略化されたブロック図である。この実施形態では、プログラムコード３１２は、アプリケーション層（ａｐｐｌｉｃａｔｉｏｎ  ｌａｙｅｒ）４００、層３部分４０２、層２部分４０４を含み、層１部分４０６に結合される。層３部分４０２は、一般に、無線リソース制御を実行する。層２部分４０４は、一般に、リンク制御を実行する。層１部分４０６は、一般に、物理的接続を実行する。
【００２７】
３ＧＰＰ  ＴＲ３６.９３２  ｖ１２.０.０に基づき、小セル高度化のリリース１２の検討項目が３ＧＰＰ  ＲＰ−１２２０３３に承認されている。３ＧＰＰ  ＲＰ−１２２０３３に基づき、検討項目は、以下の内容をカバーする：
●異なるまたは同じキャリアによってサーブされたマクロセルまたは小セル層への二重接続（ｄｕａｌ  ｃｏｎｎｅｃｔｉｖｉｔｙ）を有するＵＥの利点、およびこのシナリオの二重接続が実行可能で、かつ効果的であるかどうかを特定して評価する
●ＴＲ３６.９３２でのシナリオ、特に、二重接続の実行可能なシナリオに対して、可能なアーキテクチャとプロトコル拡張を特定して評価し、実行可能ならばコアネットワークの影響を減少し、
○制御プレーンとユーザプレーンの全体の構造およびその互いの関係、例えば、異なるノードでＣプレーンとＵプレーンをサポートし、異なるプロトコル層の終端など、を含む。
●小セル配置の全体の無線リソース管理構造と移動度向上の必要性を特定して評価する
○ノード間のＵＥコンテキスト転送とコアネットワーク向き信号を減少する移動メカニズム
○増加したＵＥの電力消費を減少しながら測定とセルの識別を向上させる
【００２８】
キャリアアグリゲーション（ＣＡ）は、実行可能な機構であり、マクロセルと小セルの二重接続を達成する。現在、ＣＡの第２段階（ｓｔａｇｅ−２）と第３段階（ｓｔａｇｅ−３）の記述が３ＧＰＰ  ＴＳ  ３６.３００  Ｖ１１.４.０および３ＧＰＰ  ＴＳ  ３６.３３１  Ｖ１１.２.０にそれぞれ規定されている。現在規定されているＣＡは、一般的に、イントラ−ｅＮＢに用いられ、ｅＮＢ間ＣＡ（マクロと小セルは、異なるｅＮＢによって制御される）も考慮されており、例えば、３ＧＰＰ  ＲＷＳ−１２００４６で述べられた小セル高度化の二重接続を達成する。３ＧＰＰ  ＲＷＳ−１２００４６では、図５に示されるように、可能な構造が示されている。図５に示されるように、“サービングｅＮＢ”と呼ばれるネットワークノードは、マクロセルを制御し、“ドリフトｅＮＢ”と呼ばれるネットワークノードは、小セルを制御する。
【００２９】
また、３ＧＰＰ  ＲＰ−１２２０３３に承認された検討項目は、非理想的なバックホール（３ＧＰＰ  ＴＲ３６.９３２  ｖ１２.０.０とＲ２−１３０８４５に述べられている）によって接続されたマクロセルとピコセルの配置のシナリオに焦点を当てることが同意されている。リモートラジオヘッド（ＲＲＨ）を配置するのに用いられることができるファイバーアクセスは、検討項目に入れられない。
【００３０】
一般的には、マクロセルと小セルが異なるネットワークノードまたはｅＮＢによって制御される場合、ｅＮＢ間ＣＡ（またはノード間ＣＡ）は、マクロセルと小セルの二重接続を達成するように用いられなければならない。ｅＮＢ間ＣＡ（またはノード間ＣＡ）をサポートするために、ＰＣｅｌｌ（Ｐｒｉｍａｒｙ  Ｃｅｌｌ）を制御するｅＮＢとＳＣｅｌｌ（セカンダリセル）の候補であるセルを制御するｅＮＢとの間のいくつかの交渉（ｎｅｇｏｔｉａｔｉｏｎｓ）または手順は、定義される必要がある。ＰＣｅｌｌは、マクロセルであり得、ＳＣｅｌｌは、小セルであり得る。
【００３１】
また、ヘテロジニアスネットワークでは、キャリアアグリゲーションようにＰＣｅｌｌを制御するｅＮＢによって選ばれることができる複数のＳＣｅｌｌの候補がある。補助情報なく、どのセルがよりよいＳＣｅｌｌ候補であるかをｅＮＢが判断するのは難しく、不良なＳＣｅｌｌの集約（ａｇｇｒｅｇａｔｅ）は、パフォーマンスの低下（例えばスループットの減少、資源の浪費、または電力消費）を招く可能性がある。
【００３２】
また、ノード間二重接続の詳細は、目下不明である。１つの可能性としては、送信および／または受信のデータパスは、異なるネットワークノードによって分割（ｓｐｌｉｔｔｉｎｇ）され得ることである。分割は、異なる態様（例えば、サービスタイプまたはクオリティオブサービス（ＱｏＳ）要求に基づく）による可能性がある。ＵＥは、複数のデータパスを有し、各異なるデータのタイプは、分割ルールに基づき、異なるデータパスを有する。例えば、ある特定のサービスのタイプのデータパスは、マクロセルを介し、ある他の特定のサービスのタイプのデータパスは、小セルを介する。この状況において、いずれのデータパスもＵＥの一部のデータパスとして見なされることができる。
【００３３】
ｅＮＢ間ＣＡでは、ＣＡの交渉手順は、ｅＮＢに必要とされる。一種のＣＡの準備要求は、ＵＥのＰＣｅｌｌ（例えば、マクロセル）を制御する第１のｅＮＢによって用いられてＳＣｅｌｌの集約を要求（ｒｅｑｕｅｓｔ）することができる。また、ＣＡの承認／拒否（Ａｃｃｅｐｔ／Ｒｅｊｅｃｔ）のタイプは、ＳＣｅｌｌ（例えば小セル）の候補であるセルを制御する第２のｅＮＢによって用いられ、第１のｅＮＢに応答することができる。また、第１のｅＮＢによって用いられ得るＣＡの停止のタイプは、第１のｅＮＢによって用いられ、第２のｅＮＢにＳＣｅｌｌの集約を停止するように知らせることができる。
【００３４】
ＣＡが完成した後、第２のｅＮＢは、第１のｅＮＢに要求を送信し、ＵＥのＳＣｅｌｌを解放することができる。第１のｅＮＢから第２のｅＮＢのＳＣｅｌｌ解放の確認が必要となる可能性がある。例えば、いくつかの状況（例えばＳＣｅｌｌが過負荷になった場合）では、第２のｅＮＢは、ＳＣｅｌｌ解放要求を第１のｅＢＮに送信する。ＳＣｅｌｌを解放する決定と動作は、第１のｅＮＢによって行われる。
【００３５】
また、ＣＡが完成した後、第２のｅＮＢは、第１のｅＮＢまたはコアネットワークノード（例えば、モビリティ管理エンティティ（ＭＭＥ））またはサービングゲートウェイ（Ｓｅｒｖｉｎｇ  Ｇａｔｅｗａｙ；  Ｓ−ＧＷ）に要求を送信し、データパス（例えば、無線ベアラ、サービス、または論理チャネル）を切り替えることができる。切り替えは、ＵＥと第２のｅＮＢ間からＵＥと第１のｅＮＢ間との切り替えである。第１のｅＮＢは、第２のｅＮＢまたはコアネットワークノードに要求を送信することもできる。データパスの切り替えの確認は、要求される可能性がある。例えば、いくつかの状況（例えば、特定の無線ベアラのＱｏＳは、満たされることができないか、またはＳＣｅｌｌが過負荷になる）では、第２のｅＮＢは、第１のｅＮＢに要求を送信し、データパスを切り替えることができる。
【００３６】
また、第１のｅＮＢでは、ＵＥのＳＣｅｌｌとなるセルを集約する決定は、さまざまな要因（例えば無線状態、インターフェース、またはＵＥの移動速度など）による可能性がある。また、セルがＵＥのＳＣｅｌｌとなるのに好適であるかどうかは、時に変わり、その変化は、ＰＣｅｌｌを制御するｅＮＢによって容易に認知されない可能性がある。
【００３７】
ＳＣｅｌｌを集約するいくつかの利点がデータのオフロードとスループットの増加を含むため、セルを集約するかどうかを決定する時、ＳＣｅｌｌの候補となり得るセルの負荷状態を第１のｅＮＢが知ることが好ましい。このような情報は、第１のｅＮＢがどのセルを集約するかを決めるかを助けることができる。この発明の１つの実施形態では、小セルまたはＳＣｅｌｌまたはＳＣｅｌｌ候補を制御する第２のｅＮＢは、その負荷状態に関する情報を第１のｅＮＢに送信することができる。上述の情報は、キャリアアグリゲーションの手順中に送信されることができる（例えば、ＣＡ受信メッセージで）。また、上述の情報は、ＳＣｅｌｌ解放要求メッセージで伝送されることができる。また、上述の情報は、データパス切り替えの要求メッセージで送信されることもできる。具体的に言えば、情報は、小セルの負荷レベル（例えば低、中、または高）を含むことができる。下記は、例示的なケースである：
（１）ＵＥのＰＣｅｌｌを制御するｅＮＢがＵＥ用にＳＣｅｌｌを集約したいとき、ｅＮＢは、ＣＡ準備要求メッセージを集約され得るセルを制御するｅＮＢに送信する。
（２）要求を受信するｅＮＢは、ｅＮＢまたはセルの負荷状態の情報を含むＣＡ承認メッセージに応答する。また、集約されるセルの識別は、ＣＡ承認メッセージに含まれることができる。
（３）ＰＣｅｌｌを制御するｅＮＢは、どのセルが提供された情報に基づき、集約されるべきかを決定する。
【００３８】
ノード間二重接続がＵＥに構成されたとき、データパスを分割するルールは、ネットワークによって構成されることができる。上述のように、一般概念では、ＵＥの１つのサービングセルを制御する第１のｅＮＢは、要求をＵＥのもう１つのサービングセルを制御する第２のｅＮＢ、またはコアネットワークノード（例えば、ＭＭＥまたはＳ−ＧＷ）に送信し、データパスを切り替えるか、または分割ルールを変えることができる（例えば、無線ベアラ、サービス、または論理チャネル用に）。データパスの切り替えは、ＵＥと第１のｅＮＢ間からＵＥと第２のｅＮＢ間との切り替えであることができる。データパスの切り替えまたは分割ルールの変更の確認は、要求される可能性がある。例えば、いくつかの状況（例えば、特定の無線ベアラのＱｏＳは、満たされることができないか、または第２のｅＮＢのサービングセルが過負荷になる）では、第２のｅＮＢは、第１のｅＮＢに要求を送信し、データパスを切り替えるか、または分割ルールを変えることができる。
【００３９】
また、第２のネットワークノード（例えばｅＮＢ）は、第１のネットワークノード（例えばもう１つのｅＮＢ）に要求を送信し、ＵＥのサービングセルを解放することができる。サービングセルは、第２のネットワークノードによって制御される。例えば、いくつかの状況（例えばサービングセルに伝送されるデータがＵＥにもうない場合）では、第２のネットワークノードは、サービングセル解放要求（例えば、ＳＣｅｌｌ解放要求）を第１のネットワークノードに送信する。
【００４０】
図６は、１つの例示的な実施形態に基づく、メッセージシーケンスチャート６００である。ステップ６２０では、ｅＮＢ２  ６１０は、ＣＡ準備要求をｅＮＢ１  ６０５に送信する。ステップ６２５では、ｅＮＢ１  ６０５は、ＣＡ承認メッセージまたはＣＡ拒否メッセージのいずれかをｅＮＢ２  ６１０に送信する。１つの実施形態では、ＣＡ承認メッセージは、負荷レベルを含むことができる。ステップ６３０では、ｅＮＢ１は、ＳＣｅｌｌ解放要求をｅＮＢ２に送信する。ステップ６３５と６４０では、ｅＮＢ１は、データパス切り替え要求をｅＮＢ２、或いはＭＷＥまたはＳ-ＧＷのいずれかに送信し、ＵＥの第１のタイプの送信および／または受信に対応する第１のデータパスを異なるデータパスに変える。ステップ６４５では、ｅＮＢ２は、ＣＡ停止メッセージをｅＮＢ１に送信し、ｅＮＢ１にＳＣｅｌｌの集約を停止するように知らせる。ネットワークノード間の交渉の手順は、上述の１つまたは複数のステップを含むことができる。例えば、手順は、ステップ６２０とステップ６２５の両方を含むことができる。
【００４１】
１つの実施形態では、第１のネットワークノード（例えばｅＮＢ）は、キャリアアグリゲーションの手順中、その負荷状態に関する情報を第２のネットワークノード（例えば、ｅＮＢ）に送信することができる。また、手順は異なるネットワークノードによって制御されたＰＣｅｌｌとＳＣｅｌｌを集約した時に用いられることができる。手順は、第１のネットワークノードと第２のネットワークノード間で送信されるメッセージを含むことができる。また、第１のネットワークノードは、キャリアアグリゲーションのＵＥに用いるＳＣｅｌｌ候補であるセルを制御することができる。また、セルは、小セルであることができる。また、第２のネットワークノードは、キャリアアグリゲーションのＵＥに用いるＰＣｅｌｌであるセルを制御することができる。また、セルは、マクロセルであることができる。負荷状態に関する情報は、応答メッセージ、例えばＣＡ承認メッセージ、ＣＡ準備メッセージ、またはＣＡ要求メッセージに含まれることができる。
【００４２】
１つの実施形態では、第１のネットワークノード（例えばｅＮＢ）は、第２のネットワークノード（例えばｅＮＢ）に要求を送信し、ＵＥのサービングセルを停止することができる。第１のネットワークノードはＵＥのＳＣｅｌｌを制御し、第２のネットワークノードは、ＵＥのＰＣｅｌｌを制御する。また、上述の要求は、ＳＣｅｌｌ解放要求メッセージであることができる。また、ＳＣｅｌｌは、小セルでもよい。ＰＣｅｌｌは、マクロセルであることができる。また、上述の要求は、ＳＣｅｌｌの負荷を含む要因に基づき、動作されることができる。また、上述の要因は、ＵＥのクオリティオブサービス（ＱｏＳ）が保障されるかどうかに基づき、動作されることができる。また、上述の要求は、例えば負荷など、集約停止の理由を含むことができる。また、第１のネットワークノードは、例えばＣＡの停止メッセージ、ＣＡの解放メッセージ、またはＣＡの解放承認メッセージなどの確認メッセージが、第２のネットワークノードから受信された時、ＵＥの構成またはリソースを解放することができる。
【００４３】
いくつかの実施形態では、図６のステップ６３５に示されるように、第１のネットワークノードは、要求を第２のネットワークノードに送信し、ユーザー端末（ＵＥ）の第１のタイプの送信および／または受信に対応するデータパスを第１のパスから異なるパス（例えば第２のパス）に変えることができる。
【００４４】
もう１つの実施形態では、図６のステップ６４０に示されるように、第１のネットワークノードは、要求をコアネットワークノード（例えば、ＭＭＥまたはＳ−ＧＷ）に送信し、ＵＥの第１のタイプの送信および／または受信に対応するデータパスを第１のパスから異なるパス（例えば第２のパス）に変えることができる。上述の実施形態では、第１のパスは、第１のネットワークノードを介して、ＵＥの第１のタイプの送信および／または受信に対応するデータパスとして用いられる。また、第２のパスは、第２のネットワークノードを介して、ＵＥの第２のタイプの送信および／または受信に対応するデータパスとして用いられる。
【００４５】
１つの実施形態では、ＵＥの第１のタイプの送信および／または受信に対応するデータパスは、要求により第２のパスに変えられる。また、上述の要求は、ハンドオーバーによって動作されない。即ち、上述の要求は、ハンドオーバーのため、送信されない。
【００４６】
もう１つの実施形態では、第１のパスは、ＵＥの第３タイプの送信および／または受信に対応するデータパスとして用いられることができる。また、ＵＥの第１タイプの送信および／または受信に対応するデータパスを変える要求（図６のステップ６３５と６４０に示されるように）は、ＵＥの第３のタイプの送信および／または受信に対応するデータパスを変える指示をしない。即ち、第１の経路は、要求により、ＵＥの第１のタイプの送信および／または受信に対応するデータパスを変えた後、ＵＥの第３のタイプの送信および／または受信に対応するデータパスとしてまだ用いられることができる。もう１つの実施形態では、ＵＥは、データパスが変わった後、異なるネットワークノードを介して複数のパスを有する。また、データパスは、例えばＵＥからｅＮＢのアップリンク方向のデータ用のものである。
【００４７】
第１のタイプの送信および／または受信、第２のタイプの送信および／または受信、または第３のタイプの送信および／または受信は、サービスのタイプに基づき、区別される。または、それらは無線ベアラ、論理チャネル、および／またはクオリティオブサービス（ＱｏＳ）のレベルに基づき、区別されることができる。
【００４８】
１つの実施形態では、上述の要求は、第１のネットワークノードによって制御されたセルの負荷を含む要因に基づき、作動されることができる。また、上述の要因は、ＵＥの第１のタイプの送信および／または受信に対応するクオリティオブサービス（ＱｏＳ）が保障されるかどうかに基づき、動作されることができる。また、上述の要求は、データパスの切り替え（例えば負荷など）の理由を含むことができる。また、要求は、第１のネットワークノードによって制御されたセルの目下の負荷状態（例えば低、中、または高）を示す負荷レベルなどの負荷状態を含むことができる。
【００４９】
１つの実施形態では、第１のネットワークノードは、ＵＥのサービングセルまたはＳＣｅｌｌ（セカンダリセル）を制御するｅＮＢであることができる。第２のネットワークノードは、ＵＥのサービングセルまたはＰＣｅｌｌ（プライマリセル）を制御するｅＮＢであることができる。また、第１のネットワークノードは、（ｉ）マクロセルまたは（ｉｉ）ピコセル、フェムトセル、またはマイクロセルであることができる小セルを制御する。同様に、第２のネットワークノードは、（ｉ）マクロセルまたは（ｉｉ）ピコセル、フェムトセル、またはマイクロセルであることができる小セルを制御する。また、第１のネットワークノードは、要求の確認メッセージ（例えばデータパスの変更承認メッセージまたはデータパスの再構成メッセージなど）が受信されたとき、第１のタイプの送信および／または受信を終了させる。
【００５０】
図３と図４に示されるように、１つの実施形態では、装置３００は、メモリ３１０に保存されたプログラムコード３１２を含んでノード間接続を処理する。１つの実施形態では、ＣＰＵ３０８は、キャリアアグリゲーションの手順中、プログラムコード３１２を実行して、その負荷状態に関する情報をネットワークノードに送信することができる。もう１つの実施形態では、装置３００は、要求をネットワークノードに送信し、ＵＥのＳＣｅｌｌの集約を停止することができ、その中の（１）装置は、ＵＥのＳＣｅｌｌを制御し、且つ（ｉｉ）ネットワークノードは、ＵＥのＰＣｅｌｌを制御する。また、ＣＰＵ３０８は、プログラムコード３１２を実行して、上述の全ての動作とステップを実行することができる。
【００５１】
図３と図４に示されるように、１つの実施形態では、装置３００は、メモリ３１０に保存されたプログラムコード３１２を含んでコード間接続を処理することができる。１つの実施形態では、ＣＰＵ３０８は、プログラムコード３１２を実行して、要求をネットワークノードに送信し、ＵＥの第１のタイプの送信および／または受信に対応するデータパスを第１のパスから異なるパス（例えば第２のパス）に変えることができ、その中の（ｉ）第１のパスは、第１のパスは、装置を介して、ＵＥの第１のタイプの送信および／または受信に対応するデータパスとして用いられ、且つ（ｉｉ）第２のパスは、ネットワークノードを介して、ＵＥの第２のタイプの送信および／または受信に対応するデータパスとして用いられる。
【００５２】
１つの実施形態では、装置は、要求をコアネットワークノードに送信し、ＵＥの第１のタイプの送信および／または受信に対応するデータパスを第１のパスから異なるパス（例えば第２のパス）に変えることができ、その中の（ｉ）第１のパスは、第１のパスは、第１のネットワークノードを介して、ＵＥの第１のタイプと第３のタイプの送信および／または受信に対応するデータパスとして用いられ、且つ（ｉｉ）第２のパスは、第２のネットワークノードを介して、ＵＥの第２のタイプの送信および／または受信に対応するデータパスとして用いられ、且つ（ｉｉｉ）要求は、ＵＥの第３のタイプの送信および／または受信に対応するデータパスを変える指示をしない。この実施形態では、コアネットワークノードは、ＭＭＥまたはＳ−ＧＷであることができる。また、ＣＰＵ３０８は、プログラムコード３１２を実行して、上述の全ての動作およびステップを実行することができる。
【００５３】
この開示の種々の態様は上記に記述されている。ここでの教示が種々様々の形式で具体化されてもよいこと、および、ここに開示されている任意の特定の構造、機能または両方は単に代表に過ぎないことは明らかである。ここでの教示に基づいて、当業者は、ここで開示されたある態様が他の態様と無関係に実行され、２つ以上のこれらの態様が種々の方法で合成されてもよいことを認識するべきである。例えば、ここで説明された任意の数の態様を用いて、装置は実装されてもよいし、または方法は実践されてもよい。更に、他の構造、機能性、またはここで説明された態様の１つ以上に加えてまたはこれら以外での構造および機能性を用いて実行されてもよい。上記の概念のうちのいくつかの例として、いくつかの態様では、同時チャネルはパルス繰返周波数に基づいて確立されてもよい。ある態様では、同時チャネルはパルス位置またはオフセットに基いて確立されてもよい。ある態様では、同時チャネルは時間ホッピングシーケンスに基づいて確立されてもよい。ある態様では、同時チャネルは、パルス繰返周波数、パルス位置またはオフセット、および時間ホッピングシーケンスに基づいて確立されてもよい。
【００５４】
情報および信号は、様々な異なる技術および技法のうちのいずれかを使用して表され得ることを当業者は理解するであろう。例えば、以上の説明の至るところで参照され得るデータ、命令、コマンド、情報、信号、ビット、記号、およびチップは、電圧、電流、電磁波、磁場もしくは磁性粒子、光場もしくは光粒子、またはそれらの任意の組み合わせによって表され得る。
【００５５】
当業者は、種々の例示的な論理ブロック、モジュール、プロセッサ、手段、回路、およびここで開示された態様に関連して記述されたアルゴリズムステップが電子ハードウェア（例えば、デジタル実装、アナログ実装またはソースコーディングまたは他のいくつかの技術を用いて設計されてもよい２つの組み合わせ）、命令を取り込むプログラムまたは設計コードの種々の形式（ここでは便宜上、「ソフトウェア」または「ソフトウェアモジュール」と呼ぶ）、または、この両方の組み合わせとして実装されてもよいことをさらに認識するだろう。ハードウェアおよびソフトウェアのこの交換可能性を明瞭に例示するために、様々な例示的な要素、ブロック、モジュール、回路、およびステップが、一般的に、それらの機能性に関して記述されている。かかる機能性がハードウェアまたはソフトウェアとして実装されるかどうかは、システム全体に課せられた特定の応用および設計制約に依存する。当業者は、記述された機能性を、それぞれの特定の応用に関して様々な方法で実装してもよいが、かかる実装決定は、本開示範囲からの逸脱を引き起こすと解釈されるべきではない。
【００５６】
ここで開示された態様に関連して記述される種々の例示の論理ブロック、モジュール、および回路は、集積回路（「ＩＣ」）内に実装されてもよいし、ＩＣによって実行されてもよい。ＩＣは、汎用プロセッサ、デジタル信号プロセッサ（ＤＳＰ）、徳定用途向け集積回路（ＡＳＩＣ）、フィールドプログラマブルゲートアレイ（ＦＰＧＡ）または他のプログラマブルロジックデバイス、個別のゲートまたはトランジスタロジック、個別のハードウェア構成機器、電子的コンポーネント、光学コンポーネント、機械的なコンポーネントまたはここに記述された機能を行うことを目指した任意のそれらの組み合わせを具備してもよく、またＩＣ内部、ＩＣ外部、またはその両方に存在するコードまたは命令を実行してもよい。汎用プロセッサはマイクロプロセッサでもよいが、代わりに、プロセッサは任意の従来のプロセッサ、コントローラ、マイクロコントローラまたは状態機械でもよい。プロセッサはまた、コンピューティング装置の組み合わせ（例えば、ＤＳＰとマイクロプロセッサの組み合わせ、複数のマイクロプロセッサ、ＤＳＰコアと連動する１以上のマイクロプロセッサ、または任意の他のそのような構成）として実装されてもよい。
【００５７】
ここで開示されるプロセスのあらゆる特定の順序または分層の工程は例のアプローチである。デザイン嗜好に基づくと、理解できることは、本プロセスにおける特定の順序または分層の工程は、本発明の範囲内で再構成される。付随する方法は、例の順序で各種工程の素子の提示を要求し、提示される特定の順序または分層に制限されることを意味するのではない。
【００５８】
ここで開示された態様に関連して記述された方法またはアルゴリズムのステップは、直接ハードウェアで、プロセッサによって実行されるソフトウェアモジュール、または２つの組み合わせにおいて具現化されてもよい。（例えば、実行可能命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術において既知のコンピュータ読取可能記憶媒体の任意の他の形式のようなデータメモリに存在してもよい。サンプル記憶媒体は、例えば（利便性上ここでは「プロセッサ」と呼ばれてもよい）コンピュータ／プロセッサのような機械につながれてもよく、そのようなプロセッサは情報（例えば符号）を記憶媒体から読み出し、記憶媒体へ書き込みすることができる。サンプル記憶媒体はプロセッサに不可欠かもしれない。プロセッサ及び記憶媒体はＡＳＩＣ内に存在してもよい。ＡＳＩＣはユーザー機器に存在してもよい。代替案では、プロセッサと記憶媒体はユーザー機器において個別部品として存在してもよい。さらに、いくつかの態様では、いずれか適切なコンピュータプログラム製品も、この開示の態様の１つ以上に関連する符号を具備するコンピュータ読取可能媒体を具備してもよい。ある態様では、コンピュータプログラム製品は包装材料を具備してもよい。
【００５９】
この発明は種々の態様に関連して記述されているが、この発明がさらなる変更ができることは理解される。本用途は、本発明の一般的な原理を用いて、本発明の任意の変形、使用または改造を含むことが意図される。さらに、本用途は、本発明が属する分野において公知の、または慣例的実施の範囲内に入るような本開示からの逸脱を含むことが意図される。
【符号の説明】
【００６０】
１００  アクセスネットワーク
１０４、１０６、１０８、１１０、１１２、１１４  アンテナ
１１６、１２２  アクセス端子
１１８、１２４  逆方向リンク
１２０、１２６  順方向リンク
２１０  送信機システム
２１２、２３６  データソース
２１４、２３８  データプロセッサ
２２０  ＴＸ  ＭＩＭＯプロセッサ
２２２ａ〜２２２ｔ、３１４  送信機
２５４ａ〜２５４ｒ  受信機
２２４ａ〜２２４ｔ、２５２ａ〜２５２ｒ  アンテナ
２３０、２７０  プロセッサ
２３２、２７２  メモリ
２４２、２６０  ＲＸデータプロセッサ
２４０  復調器
２５０  受信機システム
２８０  変調器
３００  通信装置
３０２  入力装置
３０４  出力装置
３０６  制御回路
３０８  中央処理装置（ＣＰＵ）
３１０  メモリ
３１２  プログラムコード
３１４  トランシーバー
４００  アプリケーション層
４０２  層３部分  
４０４  層２部分
４０６  層１部分
６００  メッセージシーケンスチャート
【図１】
2014150531.tif 000003
【図２】
2014150531.tif 000004
【図３】
2014150531.tif 000005
【図４】
2014150531.tif 000006
【図５】
2014150531.tif 000007
【図６】
2014150531.tif 000008
【外国語明細書】
2014150531000001.pdf